(57)【要約】【課題】洗濯等の手入れが簡単で、装着も容易な布団カバーを提供すること。【解決手段】布団の長手方向の一端から中央近傍に達する寸法を有し、中に布団の右半分を収納可能な袋状の右カバー部と、布団の長手方向の一端から中央近傍に達する寸法を有し、中に布団の左半分を収納可能な袋状の左カバー部と、前記右カバー部の開口部近傍と前記左カバー部の開口部近傍に設けられた互いに係止可能な留め具と、を有することを特徴とする布団カバーを提供する。【選択図】 図３
2018175277.tif 000002
【特許請求の範囲】
【請求項１】
布団の長手方向の一端から中央近傍までを覆う大きさであり且つ中に布団の右半分を収納可能な袋状の右カバー部と、
布団の長手方向の一端から中央近傍までを覆う大きさであり且つ中に布団の左半分を収納可能な袋状の左カバー部と、
前記右カバー部の開口部近傍と前記左カバー部の開口部近傍に設けられた互いに係止可能な留め具と、を有することを特徴とする布団カバー。
【請求項２】
前記係止部は、紐状物であることを特徴とする請求項１に記載の布団カバー
【請求項３】
上面にテッィシュ取出口を有し且つ内部に箱状物を収納可能な下面開放の箱形状の上カバーと、
前記上カバーの下に設けられ、下面にテッィシュ取出口を有する上面開放の箱形状の下カバーと、を備えたことを特徴とするティッシュケース。
【請求項４】
内部に箱状物を収納可能であり且つ表面に複数のティッシュ取出口を備えたことを特徴とするティッシュケース。
【発明の詳細な説明】
【技術分野】
【０００１】
本発明は、洗濯等の手入れが簡単で、装着も容易な布団カバー及びティッシュの入替が簡単で多方向からティッシュを引き出せるティッシュケースに関する。
【背景技術】
【０００２】
掛け布団や敷布団のカバーは、寸法が大きく、かさばるため、洗濯や布団カバー交換は、手間のかかる作業である。とくに、掛け布団の布団カバー交換は、袋状の布団カバーの中に、大きな掛け布団を入れて、布団カバーの四隅と、掛け布団の四隅を合わせていく作業が必要で、敷布団よりも手間がかかる作業である。そこで、従来より、布団カバー交換を効率よく行えるよう、様々な形状の布団カバーが発明されている。
【０００３】
特許文献１の布団カバーは、襟部と胴部に分かれており、汚れやすい襟部のみを頻繁に洗濯でき、襟部の交換作業も比較的容易にできるものである。特許文献２の布団カバーは、上面のみ横半分に二分割したものであって、布団の角のループにフックをひっかけることで着脱を容易にしたものである。
【０００４】
しかし、特許文献１の布団カバーは、襟部の着脱は容易だが寸法の大きな胴部の着脱は手間のかかる作業であることに変わりはなく、特許文献２の布団カバーは、ループやフックが、就寝中に身体に接触して、ときに、不快感を生ずることがある。また、様々な布団カバーについて、着脱容易にするために構造を複雑にすると、製造コストが高くなってしまうという問題もあった。
【先行技術文献】
【特許文献】
【０００５】
【特許文献１】特開平１１−１６９２７２号公報
【特許文献２】特開２０１４−６９０５５号公報
【発明の概要】
【発明が解決しようとする課題】
【０００６】
そこで、本発明の目的は、洗濯や着脱が簡単で、かつ、構造がシンプルであって、製造コストを低くおさえられる布団カバーを提供することにある。
【課題を解決するための手段】
【０００７】
本発明の布団カバーは、布団の長手方向の一端から中央近傍までを覆う大きさであり且つ中に布団の右半分を収納可能な袋状の右カバー部と、布団の長手方向の一端から中央近傍までを覆う大きさであり且つ中に布団の左半分を収納可能な袋状の左カバー部と、前記右カバー部の開口部近傍と前記左カバー部の開口部近傍に設けられた互いに係止可能な留め具と、を有することを特徴とする。
【０００８】
この発明によれば、布団の両端に、右カバーと左カバーをそれぞれ被せて、右カバーと左カバーの端部を中央近傍に引き寄せれば、布団に布団カバーを装着することができるので、大きな布団を持ち上げる必要がなく、布団カバーの着脱作業が大変容易である。また、布団カバーは、顔や首筋が直接触れる部分のみ汚れやすいものであるが、この発明によれば、汚れやすい片側カバーのみ頻繁に洗濯することができる。布団カバーは、すべて洗濯するには、かさが大きく、洗濯が大変であるが、片側カバーのみ洗濯することができるので、いつでも手軽に洗濯でき、干す場所も取らない。一人暮らしの単身者、力の弱い高齢者でも簡単に洗濯でき、いつでも清潔に使用することができる。
【０００９】
また、この発明の布団カバーの係止部は、紐状物であることを特徴とする。
【００１０】
この発明によれば、布団の長手方向右半分に右カバーを、長手方向左半分に左カバーを装着した後、右カバーと左カバーの開口部付近にそれぞれ設けられている右カバーの紐状物と左カバーの紐状物を互いに結ぶことで、右カバーと左カバーをしっかりと結合でき、布団カバーを確実に包みこむことができる。
【００１１】
また、この発明のティシュカバーは、上面にテッィシュ取出口を有し且つ内部に箱状物を収納可能な下面開放の箱形状の上カバーと、前記上カバーの下に設けられ、下面にテッィシュ取出口を有する上面開放の箱形状の下カバーと、を備えたことを特徴とする。
【００１２】
この発明によれば、上面にティッシュ取出口を有する上カバーと、下面にティッシュ取出口を有する下カバーからなるティッシュケースに箱入り又は袋入りティッシュを収納することで、上面からも下面からもティッシュを取り出すことができる。また、上面のティッシュ取出口から引きだすティッシュを使い切った場合、ティッシュケースの上下をひっくり返せば、下面のティッシュ取出口からティッシュを引き出すことができるので、ティッシュの補充作業の回数を減らすことができる。
【００１３】
また、この発明のティッシュケースは、内部に箱状物を収納可能であり且つ表面に複数のティッシュ取出口を備えたことを特徴とする。
【００１４】
この発明によれば、ティッシュ取出口が複数、様々な方向に設けられているので、様々な方向からティッシュを同時に取出すことができる。複数人で、ティッシュケースを共同で使用するような場合に、大変便利である。
【図面の簡単な説明】
【００１５】
【図１】本発明の実施の形態１にかかる布団カバー１００の参考斜視図である。
【図２】図１に示した布団カバー１００の使用方法を説明するための参考図である。
【図３】図１に示した布団カバー１００の使用方法を説明するための参考図である。
【図４】本発明の実施の形態２にかかる布団カバー２００の参考斜視図である。
【図５】図４に示した布団カバー２００の使用方法を説明するための参考図である。
【図６】図４に示した布団カバー２００の使用方法を説明するための参考図である。
【図７】本発明の実施の形態３にかかる布団カバー３００の参考斜視図である。
【図８】本発明の実施の形態４にかかる布団カバー４００の参考斜視図である。
【図９】本発明の実施の形態５にかかる布団カバー５００の参考斜視図である。
【図１０】本発明の実施の形態６にかかる布団カバー６００の参考斜視図である。
【図１１】本発明の実施の形態７にかかるティッシュケース７００の使用状態を示す参考斜視図である。
【図１２】図１１に示すティッシュケース７００の斜視図である。
【図１３】図１１に示すティッシュケース７００を下方向から見た斜視図である。
【図１４】図１１に示すティッシュケース７００を下方向から見た参考斜視図である。
【図１５】図１１に示すティッシュケース７００の構成を説明するための参考図である。
【図１６】図１１に示すティッシュケース７００の使用方法を説明するための参考説明図である。
【図１７】図１１に示すティッシュケース７００の使用方法を説明するための参考説明図である。
【図１８】図１１に示すティッシュケース７００の使用方法を説明するための参考説明図である。
【図１９】図１１に示すティッシュケース７００の使用方法を説明するための参考説明図である。
【図２０】本発明の実施の形態８にかかるティッシュケース８００の斜視図である。
【図２１】図２０に示すティッシュケース８００の使用状態を示す参考斜視図である。
【図２２】図２０に示すティッシュケース８００の使用状態における上面図である。
【図２３】本発明の実施の形態９にかかるティッシュケース９００の参考斜視図である。
【図２４】図２３に示すティッシュケース９００の使用状態を示す参考斜視図である。
【図２５】本発明の実施の形態１０にかかるティッシュケース１０００の参考斜視図である。
【発明を実施するための形態】
【００１６】
（実施の形態１）
以下、図１から図３を参照し、実施の形態１にかかる布団カバー１００の形態と使用方法を説明する。
【００１７】
図１は、本発明の実施の形態１にかかる布団カバー１００の参考斜視図である。図２は、図１に示した布団カバー１００の使用方法を説明するための参考図である。図３は、図１に示した布団カバー１００の使用方法を説明するための参考図である。
【００１８】
図１に示すように、本発明の布団カバー１００は、右カバー１及び左カバー２のふたつの構成部材からなる。右カバー１は、布団の長手方向の一端から中央近傍までを包み込んで覆える大きさの袋状物である。布団の右半分と略同じか、縦と横それぞれ数センチメートル大きい寸法の布地を２枚重ねたうえ、三方の端を縫製して袋状物にしたものである。布団と略同じか、縦と横それぞれ数センチメートル大きい寸法の布地を、中央でふたつ折にして、両端を縫製して袋状にしたものでも良い。
【００１９】
左カバー２は、右カバー１と、同型同寸法である。同じものを２つ作製すれば良いので型紙が１つで済み、製造コストが低く抑えられる。また、使用継続によって、布地の一部が傷んだり、汚れたりしたときも、布団カバー全体を買い替える必要がなく、傷んだり汚れたほうのカバーのみ買い替えればよいので経済的である。
【００２０】
右カバー１の袋状部の上面の開口部近傍には、２か所、紐状物が縫いつけられ紐状留め具３となっている。右カバー１下面の開口部近傍にも、上面と同じ場所に、２か所、紐状物が縫いつけられ紐状留め具３となっている。右カバー１の紐状留め具３は、左カバー２の対応する場所に設けられた紐状留め具３と結びあわされる。
【００２１】
本発明の布団カバー１００の使用方法について、図２に示すように、まず、掛け布団の長手方向左端を、左カバー２の開口部２１から挿入し、掛け布団の左半分を左カバー２の袋の中に入れる。それから、掛け布団の長手方向右端を、右カバー１の開口部１１から挿入し、掛け布団の右半分に、右カバー１をかぶせるようにする。左カバー２と右カバー１をかぶせる順番は、どちらからでも良い。
【００２２】
右カバー１と、左カバー２を、それぞれ、掛け布団の右半分と左半分に装着すると、右カバー１に設けられた紐状留め具３と、左カバー２に設けられた紐状留め具３が、略同じ場所にくるので、右カバー１の紐状留め具３と、左カバー２の紐状留め具３を、それぞれ結びあわせる。図３に示すように、結びあわせる際、かた結びにせず、蝶々結び等、ほどきやすい結び方にするとよい。
【００２３】
右カバー１及び左カバー２は、綿素材、ガーゼ素材、タオル地や絹等の布地からなる。右カバー１と、左カバー２は、それぞれ、様々な色や柄の布地を用いて、複数種類準備しておき、その日の気分や各自の好みによって、任意の色や柄を選択できるようにすると良い。右カバー１と左カバー２の色あわせ等で、各人のセンスを発揮でき、色彩感覚を養うことができる。
【００２４】
右カバー１と、左カバー２には、装着した際に、１つの図柄が完成するように、それぞれに、デザインを施しても良い。たとえば、右カバー１に、キャラクターの顔、左カバー２に、キャラクターの首から下部分の絵柄デザインを施したものを、複数種類用意すると、右カバー１と左カバー２の選択と組み合わせを変更するだけで、着せ替え人形のように、毎回、違った図柄を楽しむことができる。
【００２５】
（実施の形態２）
次に、図４から図６を示しながら、実施の形態２にかかる布団カバー２００の形態を使用方法を説明する。
【００２６】
図４は、本発明の実施の形態２にかかる布団カバー２００の参考斜視図である。図５は、図４に示した布団カバー２００の使用方法を説明するための参考図である。図６は、図４に示した布団カバー２００の使用方法を説明するための参考図である。
【００２７】
実施の形態２にかかる布団カバー２００は、紐状留め具３の代わりに、ボタン留め具４とボタンホール５を留め具として設けた形態である。紐状留め具３がボタン留め具４とボタンホール５になっている部分以外の構成は、実施の形態１の布団カバー１００と同じである。
【００２８】
実施の形態２の布団カバー２００は、右カバー１と左カバー２を、ボタン留め具４とボタンホール５で係止する構成であるので、布団カバー表面に、凹凸が少なく済み、肌触りが滑らかである。また、ボタン留め具４について、様々な色や素材のボタンを用いることで、デザインポイントとし、布団カバーの生地の色とのコーディネートを楽しむことができる。
【００２９】
ボタンホール５は、ボタン留め具４に対応した大きさのボタンホールであるが、ボタンホール５は、布団カバー２００の長手方向に沿った方向のスリットでも、短手方向に沿った方向のスリットでも、どちらでも良い。長手方向のスリットとするほうが、ボタン留め具４がボタンホール５から外れにくくなる。右カバー１と左カバー２は、左右に開きやすく、布団の長手方向外側に向かって力がかかりやすいが、ボタンホール５を、長手方向のスリットとすることで、ボタン留め具４がボタンホール５から外れにくくなる。
【００３０】
布団カバー２００の使用方法について、図５に示すように、まず最初に、布団の長手方向左端を、左カバー２の開口部２１から挿入し、布団の左半分を左カバー２の中に、すっぽりと入れる。そのあと、布団の長手方向右端を右カバー１の開口部１１から挿入し、布団の右半分を右カバー１の中に入れる。
【００３１】
図６に示すように、布団に、右カバー１と左カバー２をかぶせると、右カバー１と左カバー２の重なる中央部分にボタン留め具４とボタンホール５が重なりあうので、ボタン留め具４の設けられた右カバー１が下側になるように重ねたあと、左カバー２のボタンホール５に右カー１のボタン留め具５を留め合わせて、布団カバー２００を布団にセットする。
【００３２】
実施の形態２では、ボタン留め具４とボタンホール５で係止する形態としたが、係止する手段としては、ボタンとボタンホールのほか、スナップボタンや面ファスナーを設けて係止することとしてもよい。
【００３３】
（実施の形態３及び実施の形態４）
次に、図７及び図８を示しながら、実施の形態３にかかる布団カバー３００及び実施の形態４にかかる布団カバー４００について説明する。
【００３４】
図７は、本発明の実施の形態３にかかる布団カバー３００の参考斜視図である。図８は、本発明の実施の形態４にかかる布団カバー４００の参考斜視図である。
【００３５】
図７に示すように、布団カバー３００は、右カバー１に施された図柄と、左カバー２に施された図柄が、布団に装着したときに、一体となって１つの図柄を構成するようにして作成すると、柄合わせを楽しめる布団カバー３００を提供することができる。右カバー１と左カバー２とで、１つの図柄になるように、どちらを上にするかを考えながら布団にセットすることができ、どんな図柄ができるのかというワクワク感、図柄が完成する達成感も味わうことができるので、子供が進んで布団にカバーをかけるお手伝いをするように促すことができる。
【００３６】
また、デザイン違いの右カバー及び左カバーを数種類用意することで、着せ替え人形を楽しむように、布団カバーの組み合わせを楽しむことができる。図８は、布団カバー３００と異なるデザインを施した布団カバー４００であり、布団カバー３００と、それぞれ、カバーを交換して装着することもできる。布団カバー３００の右カバー１と、布団カバー４００の左カバー２を組み合わせると、また違った図柄が完成し、バリエーションを楽しむことができる。
【００３７】
右カバー１と左カバー２は、季節にあわせて、違った素材で作製したものを複数準備してもよい。各人が好みの素材を、選択し組み合わせて使用できるようにする。夏は吸湿性のある素材、冬は防寒性のある素材のものを準備するとよい。
【００３８】
（実施の形態５）
次に、図９を示しながら実施の形態５にかかる布団カバー５００について説明する。  図９は、本発明の実施の形態５にかかる布団カバー５００の参考斜視図である。
【００３９】
図９に示す実施の形態５にかかる布団カバー５００は、開口部１１及び開口部２１の形状が異なる布団カバー５００である。左カバー２の右端すなわち開口部２１は、上面視、左から右に向かって斜めになっている。右カバー１の左端すなわち開口部１１も、同様に、上面視、左から右に向かって斜めになっている。開口部１１及び２１が、斜めになっていることで、右カバー１と左カバー２の境界部分が開きにくい。就寝中に、右カバー１と左カバー２との境目に、足等を突っ込んでしまうことが起こりにくい。さらに、布団カバー５００の中央部分に、斜めのラインがはしっていることで、デザイン的な特徴となり、見た目がスマートでお洒落になる。右カバー１と左カバー２の色や柄をコーディネートする際も、色や柄の切替部分が斜めになることで、デザイン的に優れた布団カバー５００を提供することができる。
【００４０】
（実施の形態６）
次に、図１０を示しながら、実施の形態６にかかる布団カバー６００を説明する。図１０は、本発明の実施の形態６にかかる布団カバー６００の参考斜視図である。
【００４１】
図１０に示す実施の形態６にかかる布団カバー６００は、開口部１１及び開口部２１のラインが曲線となっている布団カバー６０である。左カバー２の右端すなわち開口部２１は、上面視、弧を描いて波線となっている。右カバー１の左端すなわち開口部１１も、同様に、上面視、弧を描き波線となっている。開口部１１及び２１の曲線は、中央部分が張り出した曲線となっており、右カバー１と左カバー２の境界中央部分が開きにくい。布団の中央部分は、就寝中に、身体や足がよく接触する部分であって、右カバー１と左カバー２との境目に、足等を突っ込んでしまいやすいが、中央部分が、張り出した曲線となっていることで中央部分の生地がめくれにくい。さらに、布団中央部分の曲線のラインがデザイン的な特徴となる。右カバー１と左カバー２の色や柄をコーディネートする際も、色や柄の切替部分が曲線となっていることで、やわらかなデザインとすることができ、デザイン的に優れた布団カバー６００を提供することができる。
【００４２】
（実施の形態７）
次に、図１１から図１９を示しながら、実施の形態７にかかるティッシュケース７００について説明する。
【００４３】
図１１は、本発明の実施の形態７にかかるティッシュケース７００の使用状態を示す参考斜視図である。図１２は、図１１に示すティッシュケース７００の斜視図である。図１３は、図１１に示すティッシュケース７００を下方向から見た斜視図である。図１４は、図１１に示すティッシュケース７００を下方向から見た参考斜視図である。
【００４４】
図１１に示すように、本発明のディッシュカバー７００は、下面開放の略長方体の箱形状の上カバー７と、上面開放の略長方体の箱形状の下カバー８とを、主に有し、上カバー７と、下カバー８との開放面を合わせて、内部に箱状物を収納する空間を備えた中空長方体を構成するものである。
【００４５】
図１２に示すように、上カバー７の上面には、ティッシュ取り出し口となる開口部７１が設けられている。上カバー７は、下面開放の中空長方体である。上カバー７は、プラスチック樹脂や木製、厚紙製または厚布素材からなる。上カバー７の寸法は、下カバー８の寸法よりも縦横に数ミリメートルずつ、つまり、上カバー７の厚み分くらい縦横に大きくなっており、上カバー７の中空部内径と、下カバー８の外径が略同じとなっている。したがって、下カバー８の上に、上カバー７をかぶせて、蓋をするようにすることができる。
【００４６】
図１３に示すように、下カバー８の下面にも、ティッシュ取り出し口となる開口部８が設けられている。開口部７及び開口部８は、実施の形態７では、横長の細長い長方形の開口となっているが、開口の形状は、丸型、星型その他任意の形状としてデザインバリエーションをつけても良い。
【００４７】
図１４に示すように、上カバー７と下カバー８には、それぞれ、ティッシュ取り出し口となる開口部７及び開口部８が設けられているので、内部に詰替え用の袋入りまたは箱入りティッシュを２つ、互いに向きを逆にして収納しておくと、上面の開口部７からも、下面の開口部８からも、どちらの面からもティッシュを取り出すことができる。
【００４８】
次に、テッィシュケース７００の使用方法について、説明する。図１５は、図１１に示すティッシュケース７００の構成を説明するための参考図である。図１６から図１９は、図１１に示すティッシュケース７００の使用方法を説明するための参考説明図である。
【００４９】
まず最初に、図１５に示すように、下カバー８の上に載っている上カバー７を開けて、詰替え用ティッシュを収納する空間を開放し、ティッシュを詰める準備をする。詰替え用ティッシュは、二つ折りティッシュが詰められた簡易包装の袋入りティッシュを用いてもよいし、箱入りティッシュを用いても良いし、また、ロール状のキッチンペーパー等を詰めることにしても良い。詰替え用ティッシュは、袋入り、箱入り、ロール状、いずれを詰める場合も２つ以上、重ねて中に収納するようにする。収納する際、図１６に示すように、ティッシュ取り出し口が、それぞれ外側にくるように、背中合わせの向きでティッシュケース７００の中空部に詰めるようにする。
【００５０】
図１７のように、ティッシュを中空部に詰めたあと、上カバー７をかぶせて、まずは、上カバー７の開口部７１が上側に来るような向きでティッシュケース７００を机やテーブル等の台に載置して、ティッシュを使用する。
【００５１】
使用を続けていると、だんだん、ティッシュの残量が少なくなり、上側に入れたティッシュを使い切ることになるが、上側に入れたティッシュを使い切ったら、図１８に示すように、ティッシュケース７００を、ひっくり返して、下カバー８の開口部８１が上側になるように、ティッシュケース７００を載置する。通常のティッシュケースは、ティッシュをひとつぶん使い切ると、中身を入れ替える必要があるが、本発明のティッシュケース７００によれば、ティッシュをひとつぶん使い切ると、中身を補充せず、ティッシュケース７００をひっくり返すだけで、また、新しいティッシュを取り出すことができるので、ティッシュの補充作業の回数が減って便利である。
【００５２】
また、図１９に示すように、ティッシュケース７００を、短手方向に設けられた面のうち１つの面が底面となるように机や台に載置すると、開口部７及び開口部８どちらからもティッシュを取り出すことができる。複数人が、いろいろな方向からティッシュを使用することが想定されるような共有空間でティッシュを共用で使用する際に、便利である。
【００５３】
（実施の形態８）
次に、図２０から図２２を示しながら実施の形態８のティッシュケース８００を説明する。
【００５４】
図２０は、本発明の実施の形態８にかかるティッシュケース８００の斜視図である。図２１は、図２０に示すティッシュケース８００の使用状態を示す参考斜視図である。図２２は、図２０に示すティッシュケース８００の使用状態における上面図である。
【００５５】
図２０に示すように、ティッシュケース８００は、上面開放の中空箱形状からなるティッシュケースであって、開口部が、側面四方向に設けられ、どの方向からも、ティッシュを取り出すことができるティッシュケースである。ティッシュケース８００は、木製またはプラスチック等の樹脂製、厚紙や厚布その他のある程度硬度をもった素材からなり、厚みは数ミリメートルから数センチメートルであって中空長方体の箱形状である。実施の形態８のティッシュケース８００は、上面開放の長方体の箱であるが、下面開放の長方体の箱としてもよい。
【００５６】
図２１に示すように、ティッシュケース８００には、中空部内に、４つの袋入りまたは箱入りティッシュを収納可能である。収納された袋入りまたは箱入りティッシュは、図２２に示すように、それぞれ、ティッシュ取り出し口が外側になるように、かつ、ティッシュケース８００の開口部９１直下にティッシュ取り出し口がくるように収納して使用する。中に収納するティッシュは、袋入りまたは箱入りの簡易包装二つ折りティッシュのほか、キッチンペーパー等のロール状のペーパーやシートでも良い。
【００５７】
（実施の形態９）
次に、図２３及び図２４を示しながら、実施の形態９にかかるティッシュケース９００を説明する。
【００５８】
図２３は、本発明の実施の形態９にかかるティッシュケース９００の参考斜視図である。図２４は、図２３に示すティッシュケース９００の使用状態を示す参考斜視図である。
【００５９】
図２３に示すように、実施の形態９にかかるティッシュケース９００は、中空の円柱形状のティッシュケース９００である。上面または下面が着脱可能な蓋形状になっている。上面開放または下面開放の中空円柱形状として、開放面からティッシュの補充交換を行うようにしてもよい。
【００６０】
図２４に示すように、ティッシュケース９００の中に、簡易包装の袋入り二つ折りティッシュや箱入りティッシュを、開口部９１の数だけ用意して、それぞれ、開口部９１の直下にティッシュ取り出し口がくるように収納すると、多方向から、ティッシュを取り出すことができる。複数人で共有するスペースに載置すれば、ティッシュを取り出す際、どの方向からも取り出せるので便利である。また、どれか１つの袋入りティッシュを使いきっても、別の開口部９１からティッシュを取り出すことができるので、忙しくて、すぐにティッシュの補充作業ができない場合に便利である。ティッシュの補充作業は、時間があるときに、まとめて行うようにすると効率的である。
【００６１】
（実施の形態１０）
次に、図２５を示しながら、実施の形態１０にかかるティッシュケース１０００を説明する。図２５は、本発明の実施の形態１０にかかるティッシュケース１０００の参考斜視図である。
【００６２】
図２５に示すように、ティッシュケース１０００は、中空の四角柱形状の筒カバー１０の上下に、上蓋カバー１０２と下蓋カバー１０３を設けたものである。筒カバー１０の中には、通常のボックスティッシュを収納し、上下の上蓋カバー１０２及び下蓋カバー１０３には、ポケットティッシュを収納して使用する。ティッシュケース１０００は、それぞれの面に開口部１０１を設けてあり、側面の開口部１０１からは大きな寸法のティッシュを取り出せ、上下の開口部１０１からは、ポケットティッシュの小さいサイズのティッシュを取り出すことができる。大小のティッシュを選択して取り出すことができ、また、どの方向からもティッシュを取り出すことができて便利なティッシュケース１０００である。
【符号の説明】
【００６３】
１００，２００，３００，４００，５００，６００  布団カバー
７００，８００，９００，１０００  ティッシュケース
１  右カバー
１１  開口部
２  左カバー
２１  開口部
３  紐状留め具
４  ボタン留め具
５  ボタンホール
６  イラスト
７  上カバー
７１  開口部
８  下カバー
８１  開口部
９  一体型カバー
９１  開口部
１０  筒カバー
１０１  開口部
１０２  上蓋カバー
１０３  下蓋カバー
Ｆ  掛け布団
Ｔ  ティッシュ
【図１】
2018175277.tif 000003
【図２】
2018175277.tif 000004
【図３】
2018175277.tif 000005
【図４】
2018175277.tif 000006
【図５】
2018175277.tif 000007
【図６】
2018175277.tif 000008
【図７】
2018175277.tif 000009
【図８】
2018175277.tif 000010
【図９】
2018175277.tif 000011
【図１０】
2018175277.tif 000012
【図１１】
2018175277.tif 000013
【図１２】
2018175277.tif 000014
【図１３】
2018175277.tif 000015
【図１４】
2018175277.tif 000016
【図１５】
2018175277.tif 000017
【図１６】
2018175277.tif 000018
【図１７】
2018175277.tif 000019
【図１８】
2018175277.tif 000020
【図１９】
2018175277.tif 000021
【図２０】
2018175277.tif 000022
【図２１】
2018175277.tif 000023
【図２２】
2018175277.tif 000024
【図２３】
2018175277.tif 000025
【図２４】
2018175277.tif 000026
【図２５】
2018175277.tif 000027
【手続補正書】
【提出日】平成29年8月30日(2017.8.30)
【手続補正１】
【補正対象書類名】明細書
【補正対象項目名】全文
【補正方法】変更
【補正の内容】
【発明の詳細な説明】
【技術分野】
【０００１】
本発明は、洗濯等の手入れが簡単で、装着も容易な布団カバーに関する。
【背景技術】
【０００２】
掛け布団や敷布団のカバーは、寸法が大きく、かさばるため、洗濯や布団カバー交換は、手間のかかる作業である。とくに、掛け布団の布団カバー交換は、袋状の布団カバーの中に、大きな掛け布団を入れて、布団カバーの四隅と、掛け布団の四隅を合わせていく作業が必要で、敷布団よりも手間がかかる作業である。そこで、従来より、布団カバー交換を効率よく行えるよう、様々な形状の布団カバーが発明されている。
【０００３】
特許文献１の布団カバーは、襟部と胴部に分かれており、汚れやすい襟部のみを頻繁に洗濯でき、襟部の交換作業も比較的容易にできるものである。特許文献２の布団カバーは、上面のみ横半分に二分割したものであって、布団の角のループにフックをひっかけることで着脱を容易にしたものである。
【０００４】
しかし、特許文献１の布団カバーは、襟部の着脱は容易だが寸法の大きな胴部の着脱は手間のかかる作業であることに変わりはなく、特許文献２の布団カバーは、ループやフックが、就寝中に身体に接触して、ときに、不快感を生ずることがある。また、様々な布団カバーについて、着脱容易にするために構造を複雑にすると、製造コストが高くなってしまうという問題もあった。
【先行技術文献】
【特許文献】
【０００５】
【特許文献１】特開平１１−１６９２７２号公報
【特許文献２】特開２０１４−６９０５５号公報
【発明の概要】
【発明が解決しようとする課題】
【０００６】
そこで、本発明の目的は、洗濯や着脱が簡単で、かつ、構造がシンプルであって、製造コストを低くおさえられる布団カバーを提供することにある。
【課題を解決するための手段】
【０００７】
本発明の布団カバーは、布団の長手方向の一端から中央近傍までを覆う大きさであり且つ中に布団の右半分を収納可能な袋状の右カバー部と、布団の長手方向の一端から中央近傍までを覆う大きさであり且つ中に布団の左半分を収納可能な袋状の左カバー部と、前記右カバー部の開口部近傍と前記左カバー部の開口部近傍に設けられた互いに係止可能な留め具と、を有することを特徴とする。
【０００８】
この発明によれば、布団の両端に、右カバーと左カバーをそれぞれ被せて、右カバーと左カバーの端部を中央近傍に引き寄せれば、布団に布団カバーを装着することができるので、大きな布団を持ち上げる必要がなく、布団カバーの着脱作業が大変容易である。また、布団カバーは、顔や首筋が直接触れる部分のみ汚れやすいものであるが、この発明によれば、汚れやすい片側カバーのみ頻繁に洗濯することができる。布団カバーは、すべて洗濯するには、かさが大きく、洗濯が大変であるが、片側カバーのみ洗濯することができるので、いつでも手軽に洗濯でき、干す場所も取らない。一人暮らしの単身者、力の弱い高齢者でも簡単に洗濯でき、いつでも清潔に使用することができる。
【０００９】
また、この発明の布団カバーの係止部は、紐状物であることを特徴とする。
【００１０】
この発明によれば、布団の長手方向右半分に右カバーを、長手方向左半分に左カバーを装着した後、右カバーと左カバーの開口部付近にそれぞれ設けられている右カバーの紐状物と左カバーの紐状物を互いに結ぶことで、右カバーと左カバーをしっかりと結合でき、布団カバーを確実に包みこむことができる。
【図面の簡単な説明】
【００１１】
【図１】本発明の実施の形態１にかかる布団カバー１００の参考斜視図である。
【図２】図１に示した布団カバー１００の使用方法を説明するための参考図である。
【図３】図１に示した布団カバー１００の使用方法を説明するための参考図である。
【図４】本発明の実施の形態２にかかる布団カバー２００の参考斜視図である。
【図５】図４に示した布団カバー２００の使用方法を説明するための参考図である。
【図６】図４に示した布団カバー２００の使用方法を説明するための参考図である。
【図７】本発明の実施の形態３にかかる布団カバー３００の参考斜視図である。
【図８】本発明の実施の形態４にかかる布団カバー４００の参考斜視図である。
【図９】本発明の実施の形態５にかかる布団カバー５００の参考斜視図である。
【図１０】本発明の実施の形態６にかかる布団カバー６００の参考斜視図である。
【発明を実施するための形態】
【００１２】
（実施の形態１）
以下、図１から図３を参照し、実施の形態１にかかる布団カバー１００の形態と使用方法を説明する。
【００１３】
図１は、本発明の実施の形態１にかかる布団カバー１００の参考斜視図である。図２は、図１に示した布団カバー１００の使用方法を説明するための参考図である。図３は、図１に示した布団カバー１００の使用方法を説明するための参考図である。
【００１４】
図１に示すように、本発明の布団カバー１００は、右カバー１及び左カバー２のふたつの構成部材からなる。右カバー１は、布団の長手方向の一端から中央近傍までを包み込んで覆える大きさの袋状物である。布団の右半分と略同じか、縦と横それぞれ数センチメートル大きい寸法の布地を２枚重ねたうえ、三方の端を縫製して袋状物にしたものである。布団と略同じか、縦と横それぞれ数センチメートル大きい寸法の布地を、中央でふたつ折にして、両端を縫製して袋状にしたものでも良い。
【００１５】
左カバー２は、右カバー１と、同型同寸法である。同じものを２つ作製すれば良いので型紙が１つで済み、製造コストが低く抑えられる。また、使用継続によって、布地の一部が傷んだり、汚れたりしたときも、布団カバー全体を買い替える必要がなく、傷んだり汚れたほうのカバーのみ買い替えればよいので経済的である。
【００１６】
右カバー１の袋状部の上面の開口部近傍には、２か所、紐状物が縫いつけられ紐状留め具３となっている。右カバー１下面の開口部近傍にも、上面と同じ場所に、２か所、紐状物が縫いつけられ紐状留め具３となっている。右カバー１の紐状留め具３は、左カバー２の対応する場所に設けられた紐状留め具３と結びあわされる。
【００１７】
本発明の布団カバー１００の使用方法について、図２に示すように、まず、掛け布団の長手方向左端を、左カバー２の開口部２１から挿入し、掛け布団の左半分を左カバー２の袋の中に入れる。それから、掛け布団の長手方向右端を、右カバー１の開口部１１から挿入し、掛け布団の右半分に、右カバー１をかぶせるようにする。左カバー２と右カバー１をかぶせる順番は、どちらからでも良い。
【００１８】
右カバー１と、左カバー２を、それぞれ、掛け布団の右半分と左半分に装着すると、右カバー１に設けられた紐状留め具３と、左カバー２に設けられた紐状留め具３が、略同じ場所にくるので、右カバー１の紐状留め具３と、左カバー２の紐状留め具３を、それぞれ結びあわせる。図３に示すように、結びあわせる際、かた結びにせず、蝶々結び等、ほどきやすい結び方にするとよい。
【００１９】
右カバー１及び左カバー２は、綿素材、ガーゼ素材、タオル地や絹等の布地からなる。右カバー１と、左カバー２は、それぞれ、様々な色や柄の布地を用いて、複数種類準備しておき、その日の気分や各自の好みによって、任意の色や柄を選択できるようにすると良い。右カバー１と左カバー２の色あわせ等で、各人のセンスを発揮でき、色彩感覚を養うことができる。
【００２０】
右カバー１と、左カバー２には、装着した際に、１つの図柄が完成するように、それぞれに、デザインを施しても良い。たとえば、右カバー１に、キャラクターの顔、左カバー２に、キャラクターの首から下部分の絵柄デザインを施したものを、複数種類用意すると、右カバー１と左カバー２の選択と組み合わせを変更するだけで、着せ替え人形のように、毎回、違った図柄を楽しむことができる。
【００２１】
（実施の形態２）
次に、図４から図６を示しながら、実施の形態２にかかる布団カバー２００の形態を使用方法を説明する。
【００２２】
図４は、本発明の実施の形態２にかかる布団カバー２００の参考斜視図である。図５は、図４に示した布団カバー２００の使用方法を説明するための参考図である。図６は、図４に示した布団カバー２００の使用方法を説明するための参考図である。
【００２３】
実施の形態２にかかる布団カバー２００は、紐状留め具３の代わりに、ボタン留め具４とボタンホール５を留め具として設けた形態である。紐状留め具３がボタン留め具４とボタンホール５になっている部分以外の構成は、実施の形態１の布団カバー１００と同じである。
【００２４】
実施の形態２の布団カバー２００は、右カバー１と左カバー２を、ボタン留め具４とボタンホール５で係止する構成であるので、布団カバー表面に、凹凸が少なく済み、肌触りが滑らかである。また、ボタン留め具４について、様々な色や素材のボタンを用いることで、デザインポイントとし、布団カバーの生地の色とのコーディネートを楽しむことができる。
【００２５】
ボタンホール５は、ボタン留め具４に対応した大きさのボタンホールであるが、ボタンホール５は、布団カバー２００の長手方向に沿った方向のスリットでも、短手方向に沿った方向のスリットでも、どちらでも良い。長手方向のスリットとするほうが、ボタン留め具４がボタンホール５から外れにくくなる。右カバー１と左カバー２は、左右に開きやすく、布団の長手方向外側に向かって力がかかりやすいが、ボタンホール５を、長手方向のスリットとすることで、ボタン留め具４がボタンホール５から外れにくくなる。
【００２６】
布団カバー２００の使用方法について、図５に示すように、まず最初に、布団の長手方向左端を、左カバー２の開口部２１から挿入し、布団の左半分を左カバー２の中に、すっぽりと入れる。そのあと、布団の長手方向右端を右カバー１の開口部１１から挿入し、布団の右半分を右カバー１の中に入れる。
【００２７】
図６に示すように、布団に、右カバー１と左カバー２をかぶせると、右カバー１と左カバー２の重なる中央部分にボタン留め具４とボタンホール５が重なりあうので、ボタン留め具４の設けられた右カバー１が下側になるように重ねたあと、左カバー２のボタンホール５に右カー１のボタン留め具５を留め合わせて、布団カバー２００を布団にセットする。
【００２８】
実施の形態２では、ボタン留め具４とボタンホール５で係止する形態としたが、係止する手段としては、ボタンとボタンホールのほか、スナップボタンや面ファスナーを設けて係止することとしてもよい。
【００２９】
（実施の形態３及び実施の形態４）
次に、図７及び図８を示しながら、実施の形態３にかかる布団カバー３００及び実施の形態４にかかる布団カバー４００について説明する。
【００３０】
図７は、本発明の実施の形態３にかかる布団カバー３００の参考斜視図である。図８は、本発明の実施の形態４にかかる布団カバー４００の参考斜視図である。
【００３１】
図７に示すように、布団カバー３００は、右カバー１に施された図柄と、左カバー２に施された図柄が、布団に装着したときに、一体となって１つの図柄を構成するようにして作成すると、柄合わせを楽しめる布団カバー３００を提供することができる。右カバー１と左カバー２とで、１つの図柄になるように、どちらを上にするかを考えながら布団にセットすることができ、どんな図柄ができるのかというワクワク感、図柄が完成する達成感も味わうことができるので、子供が進んで布団にカバーをかけるお手伝いをするように促すことができる。
【００３２】
また、デザイン違いの右カバー及び左カバーを数種類用意することで、着せ替え人形を楽しむように、布団カバーの組み合わせを楽しむことができる。図８は、布団カバー３００と異なるデザインを施した布団カバー４００であり、布団カバー３００と、それぞれ、カバーを交換して装着することもできる。布団カバー３００の右カバー１と、布団カバー４００の左カバー２を組み合わせると、また違った図柄が完成し、バリエーションを楽しむことができる。
【００３３】
右カバー１と左カバー２は、季節にあわせて、違った素材で作製したものを複数準備してもよい。各人が好みの素材を、選択し組み合わせて使用できるようにする。夏は吸湿性のある素材、冬は防寒性のある素材のものを準備するとよい。
【００３４】
（実施の形態５）
次に、図９を示しながら実施の形態５にかかる布団カバー５００について説明する。  図９は、本発明の実施の形態５にかかる布団カバー５００の参考斜視図である。
【００３５】
図９に示す実施の形態５にかかる布団カバー５００は、開口部１１及び開口部２１の形状が異なる布団カバー５００である。左カバー２の右端すなわち開口部２１は、上面視、左から右に向かって斜めになっている。右カバー１の左端すなわち開口部１１も、同様に、上面視、左から右に向かって斜めになっている。開口部１１及び２１が、斜めになっていることで、右カバー１と左カバー２の境界部分が開きにくい。就寝中に、右カバー１と左カバー２との境目に、足等を突っ込んでしまうことが起こりにくい。さらに、布団カバー５００の中央部分に、斜めのラインがはしっていることで、デザイン的な特徴となり、見た目がスマートでお洒落になる。右カバー１と左カバー２の色や柄をコーディネートする際も、色や柄の切替部分が斜めになることで、デザイン的に優れた布団カバー５００を提供することができる。
【００３６】
（実施の形態６）
次に、図１０を示しながら、実施の形態６にかかる布団カバー６００を説明する。図１０は、本発明の実施の形態６にかかる布団カバー６００の参考斜視図である。
【００３７】
図１０に示す実施の形態６にかかる布団カバー６００は、開口部１１及び開口部２１のラインが曲線となっている布団カバー６０である。左カバー２の右端すなわち開口部２１は、上面視、弧を描いて波線となっている。右カバー１の左端すなわち開口部１１も、同様に、上面視、弧を描き波線となっている。開口部１１及び２１の曲線は、中央部分が張り出した曲線となっており、右カバー１と左カバー２の境界中央部分が開きにくい。布団の中央部分は、就寝中に、身体や足がよく接触する部分であって、右カバー１と左カバー２との境目に、足等を突っ込んでしまいやすいが、中央部分が、張り出した曲線となっていることで中央部分の生地がめくれにくい。さらに、布団中央部分の曲線のラインがデザイン的な特徴となる。右カバー１と左カバー２の色や柄をコーディネートする際も、色や柄の切替部分が曲線となっていることで、やわらかなデザインとすることができ、デザイン的に優れた布団カバー６００を提供することができる。
【符号の説明】
【００３８】
１００，２００，３００，４００，５００，６００  布団カバー
１  右カバー
１１  開口部
２  左カバー
２１  開口部
３  紐状留め具
４  ボタン留め具
５  ボタンホール
６  イラスト
Ｆ  掛け布団
【手続補正２】
【補正対象書類名】特許請求の範囲
【補正対象項目名】全文
【補正方法】変更
【補正の内容】
【特許請求の範囲】
【請求項１】
布団の長手方向の一端から中央近傍までを覆う大きさであり且つ中に布団の右半分を収納可能な袋状の右カバー部と、
布団の長手方向の一端から中央近傍までを覆う大きさであり且つ中に布団の左半分を収納可能な袋状の左カバー部と、
前記右カバー部の開口部近傍と前記左カバー部の開口部近傍に設けられた互いに係止可能な留め具と、を有することを特徴とする布団カバー。
【請求項２】
前記係止部は、紐状物であることを特徴とする請求項１に記載の布団カバー
【手続補正４】
【補正対象書類名】図面
【補正対象項目名】全図
【補正方法】変更
【補正の内容】
【図１】
2018175277.tif 000028
【図２】
2018175277.tif 000029
【図３】
2018175277.tif 000030
【図４】
2018175277.tif 000031
【図５】
2018175277.tif 000032
【図６】
2018175277.tif 000033
【図７】
2018175277.tif 000034
【図８】
2018175277.tif 000035
【図９】
2018175277.tif 000036
【図１０】
2018175277.tif 000037